(57)【要約】      （修正有）【課題】相対的に回動自在に連結されて互いに開閉する筐体の、両筐体に収容設置された回路基板同士を、回動軸の周囲を巻回させた多層フレキシブル配線ケーブルで接続した電子機器における基板接続方法で、多層フレキシブル配線ケーブルに弛みや皺が発生することを抑えて、筐体の開閉に伴う多層フレキシブル配線ケーブルの断線等を未然に防止しする基板接続方法、および多層フレキシブル基板を提供する。【解決手段】一方回路基板に接続された多層フレキシブル配線ケーブル１２を、折り返して反転させることにより他方回路基板へ向けて延在させるとともに、折り返しの部分において外側に位置するケーブル層を内周側に位置させる態様で巻回する。【選択図】図８
2006339510.tif 000002
【特許請求の範囲】
【請求項１】
相対的に回動自在に連結されて互いに開閉する一方筐体および他方筐体を具備し、前記一方筐体に収容設置された一方回路基板と前記他方筐体に収容設置された他方回路基板とを、前記一方筐体と前記他方筐体との回動軸の周囲を巻回させた多層フレキシブル配線ケーブルで接続した電子機器において、
前記一方回路基板に接続された前記多層フレキシブル配線ケーブルを、折り返して反転させることにより前記他方回路基板へ向けて延在させるとともに、前記折り返しの部分において外側に位置するケーブル層を内周側に位置させる態様で巻回させたことを特徴とする電子機器。
【請求項２】
相対的に回動自在に連結されて互いに開閉する一方筐体および他方筐体を具備し、前記一方筐体に収容設置された一方回路基板と前記他方筐体に収容設置された他方回路基板とを、前記一方筐体と前記他方筐体との回動軸の周囲を巻回させた多層フレキシブル配線ケーブルで接続した電子機器における基板接続方法であって、
前記一方回路基板に接続された前記多層フレキシブル配線ケーブルを、折り返して反転させることにより前記他方回路基板へ向けて延在させるとともに、前記折り返しの部分において外側に位置するケーブル層を内周側に位置させる態様で巻回させたことを特徴とする基板接続方法。
【請求項３】
相対的に回動自在に連結されて互いに開閉する一方筐体および他方筐体を具備し、前記一方筐体に収容設置された一方回路基板と前記他方筐体に収容設置された他方回路基板とを、前記一方筐体と前記他方筐体との回動軸の周囲を巻回させた多層フレキシブル配線ケーブルで接続した電子機器における多層フレキシブル基板であって、
前記一方筐体に収容設置される一方回路基板部を有するとともに、前記他方回路基板から遠ざかる方向へ延在する態様で前記一方回路基板部と一体に形成された多層フレキシブル配線ケーブル部を有し、前記一方回路基板部と一体に形成された前記多層フレキシブル配線ケーブル部を、折り返して反転させることにより前記他方回路基板へ向けて延在させるとともに、前記折り返しの部分において外側に位置するケーブル層を内周側に位置させる態様で巻回して、前記他方回路基板に接続させることを特徴とする多層フレキシブル基板。
【発明の詳細な説明】
【技術分野】
【０００１】
本発明は、相対的に回動自在に連結されて互いに開閉する一方筐体および他方筐体を具備し、一方筐体に収容設置された一方回路基板と他方筐体に収容設置された他方回路基板とを、一方筐体と他方筐体との回動軸の周囲を巻回させた多層フレキシブル配線ケーブルで接続した電子機器に関するものであり、また上記電子機器を対象とした基板接続方法に関し、さらに上記電子機器を対象とした多層フレキシブル基板に関する。
【背景技術】
【０００２】
図１１に示す、電子機器の一態様である折畳み式の携帯電話機Ａは、操作部Ｂａ等を備えた下ケースＢと、液晶表示部Ｃａ等を備えた上ケースＣとを具備し、これら下ケースＢおよび上ケースＣは、ヒンジ部Ｄを介して相対的に回動自在に連結されている。
【０００３】
また、下ケースＢに収容設置された回路基板Ｅｂと、上ケースＣに収容設置された回路基板Ｅｃとは、フレキシブル配線ケーブルＦを介して互いに電気的に接続されている（例えば、特許文献１参照）。
【０００４】
上記フレキシブル配線ケーブルＦは、その両端部に設けたコネクタＦｃを介して回路基板Ｅｂおよび回路基板Ｅｃに接続されているとともに、下ケースＢと上ケースＣとの開閉時に無理な曲げ等が生じることの無いよう、図１１および図１２に示す如くヒンジ部Ｄの内部において、下ケースＢと上ケースＣとの回動軸を囲むように巻回されている。
【特許文献１】特開平１１−３０３８５２号公報
【発明の開示】
【発明が解決しようとする課題】
【０００５】
ところで、昨今の携帯電話機においては、性能の向上や機能の増大等に起因して、回路基板同士を多数の信号線によって接続する必要から、回路基板同士を接続するためのフレキシブル配線ケーブルとして、同一形態の２枚以上のフレキシブル基板(ケーブル層)を重ねて成る多層フレキシブル配線ケーブルが採用されている。
【０００６】
しかし、図１２(ｂ)に示す如く、第１ケーブル層Ｆａと第２ケーブル層Ｆｂとを重ねて成る多層フレキシブル配線ケーブルＦでは、巻回された部分の外周側と内周側とで１周に要する経路長に僅かではあるが差が生じるため、巻回された部分の外周側を通る第２ケーブル層Ｆｂに対して、より経路長の短い内周側を通る第１ケーブル層Ｆａに弛みや皺が発生することは避けられない。
【０００７】
このため、従来の携帯電話機Ａにおいては、皺の発生によって多層フレキシブル配線ケーブルＦに無理な曲げが加わったり、あるいは開閉動作する下ケースＢや上ケースＣ等と多層フレキシブル配線ケーブルＦの皺が接触することで、最悪の場合、多層フレキシブル配線ケーブルＦの断線を招く等の虞れがあった。
【０００８】
上記実状に鑑みて本発明の目的は、多層フレキシブル配線ケーブルに弛みや皺が発生することを抑えて、一方筐体と他方筐体との開閉に伴う多層フレキシブル配線ケーブルの断線等を未然に防止し、もって性能への悪影響を未然に排除することの可能な電子機器、基板接続方法および多層フレキシブル基板を提供することにある。
【課題を解決するための手段】
【０００９】
上記目的を達成するべく、本発明に関わる電子機器は、相対的に回動自在に連結されて互いに開閉する一方筐体および他方筐体を具備し、一方筐体に収容設置された一方回路基板と、他方筐体に収容設置された他方回路基板とを、一方筐体と他方筐体との回動軸の周囲を巻回させた多層フレキシブル配線ケーブルで接続した電子機器において、一方回路基板に接続された多層フレキシブル配線ケーブルを、折り返して反転させることにより他方回路基板へ向けて延在させるとともに、折り返しの部分において外側に位置するケーブル層を内周側に位置させる態様で巻回させたことを特徴としている。
【００１０】
また、上記目的を達成するべく、本発明に関わる基板接続方法は、相対的に回動自在に連結されて互いに開閉する一方筐体および他方筐体を具備し、一方筐体に収容設置された一方回路基板と、他方筐体に収容設置された他方回路基板とを、一方筐体と他方筐体との回動軸の周囲を巻回させた多層フレキシブル配線ケーブルで接続した電子機器における基板接続方法であって、一方回路基板に接続された多層フレキシブル配線ケーブルを、折り返して反転させることにより他方回路基板へ向けて延在させるとともに、折り返しの部分において外側に位置するケーブル層を内周側に位置させる態様で巻回させたことを特徴としている。
【００１１】
さらに、上記目的を達成するべく、本発明に関わる多層フレキシブル基板は、相対的に回動自在に連結されて互いに開閉する一方筐体および他方筐体を具備し、一方筐体に収容設置された一方回路基板と、他方筐体に収容設置された他方回路基板とを、一方筐体と他方筐体との回動軸の周囲を巻回させた多層フレキシブル配線ケーブルで接続した電子機器における多層フレキシブル基板であって、一方筐体に収容設置される一方回路基板部を有するとともに、他方回路基板から遠ざかる方向へ延在する態様で一方回路基板部と一体に形成された多層フレキシブル配線ケーブル部を有し、一方回路基板部と一体に形成された多層フレキシブル配線ケーブル部を、折り返して反転させることにより他方回路基板へ向けて延在させるとともに、折り返しの部分において外側に位置するケーブル層を内周側に位置させる態様で巻回して、他方回路基板に接続させることを特徴としている。
【発明の効果】
【００１２】
請求項１の発明に関わる電子機器において、折り返しの部分で外側に位置するケーブル層は、折り返しの部分で内側に位置するケーブル層よりも長い経路を通る一方、巻回の部分では外周側に位置するケーブル層よりも経路長の短い内周側を通ることにより、巻回の部分において外周側に位置するケーブル層の経路長と、内周側に位置するケーブル層の経路長との差が相殺されるため、多層フレキシブル配線ケーブルに弛みや皺が生じることを未然に防止でき、もって多層フレキシブル配線ケーブルの断線等による性能への悪影響を未然に排除することが可能となる。
【００１３】
また、請求項２の発明に関わる基板接続方法において、折り返しの部分で外側に位置するケーブル層は、折り返しの部分で内側に位置するケーブル層よりも長い経路を通る一方、巻回の部分では外周側に位置するケーブル層よりも経路長の短い内周側を通ることにより、巻回の部分において外周側に位置するケーブル層の経路長と、内周側に位置するケーブル層の経路長との差が相殺されるため、多層フレキシブル配線ケーブルに弛みや皺が生じることを未然に防止でき、もって多層フレキシブル配線ケーブルの断線等による性能への悪影響を未然に排除することが可能となる。
【００１４】
さらに、請求項３の発明に関わる多層フレキシブル基板において、折り返しの部分で外側に位置するケーブル層は、折り返しの部分で内側に位置するケーブル層よりも長い経路を通る一方、巻回の部分では外周側に位置するケーブル層よりも経路長の短い内周側を通ることにより、巻回の部分において外周側に位置するケーブル層の経路長と、内周側に位置するケーブル層の経路長との差が相殺されるため、多層フレキシブル配線ケーブル部に弛みや皺が生じることを未然に防止でき、もって多層フレキシブル配線ケーブル部の断線等による性能への悪影響を未然に排除することが可能となる。
【発明を実施するための最良の形態】
【００１５】
以下、実施例を示す図面に基づいて、本発明を詳細に説明する。  
図１〜図８は、電子機器の一態様である折畳み式の携帯電話機に本発明を適用した実施例を示しており、この携帯電話機１は、図１および図２に示す如く、下筐体(他方筐体)２と上筐体(一方筐体)３とを具備するとともに、これら下筐体２と上筐体３とは、ヒンジ部４を介して互いに開閉し得るよう回動自在に連結されている。
【００１６】
上記下筐体２には、その正面に送話部２ａおよび操作部２ｂ等が設けられている一方、上記上筐体３は、その正面に受話部３ａおよびメイン液晶表示部３ｂ等を有するとともに、背面にサブ液晶表示部３ｃおよびカメラ部３ｄ等を有している。
【００１７】
また、上記下筐体２の内部には、送話器や操作部の構成部品を搭載したリジッドな回路基板(他方回路基板)２０が設置されている一方、上記上筐体３の内部には、後述する多層フレキシブル基板１０の回路基板部(一方回路基板部)１１が設置されている。
【００１８】
さらに、上記ヒンジ部４の内部には、上記多層フレキシブル基板１０の多層フレキシブル配線ケーブル部(多層フレキシブル配線ケーブル)１２が、下筐体２と上筐体３との回動軸を囲むように巻回して収容されており、この多層フレキシブル配線ケーブル部１２を介して、下筐体２内の回路基板２０と上筐体３内の回路基板部１１とが互いに電気的に接続されている。
【００１９】
図３〜図５に示す如く、上記多層フレキシブル基板１０における回路基板部(一方回路基板部)１１は、基板の間に接着層(基材)を介装することでリジットに構成されており、上筐体３に設置された状態において、サブ液晶表示部３ｃのＬＣＤ(図示せず)を回避するべく、中央域に矩形の切欠き１１ａを有する凹字形状、詳しくはヒンジ部４に臨む縁部を閉じた凹字形状を呈し、その表面(図３〜図５において回路基板部１１に隠れている面)には、図示していない各種の回路部品が実装されている。
【００２０】
また、上記回路基板部１１における先端部には、配線ケーブル部１３が延設されており、回路基板部１１の中心側に折り返された配線ケーブル部１３の端部には、上筐体３に設置された受話部３ａの機構部品と接続されるコネクタ１３Ｃが実装されている。
【００２１】
また、上記回路基板部１１における基端部には、上筐体３に設置されたカメラ部３ｄの機構部品を回避するための切欠き１１ｂが形成され、この切欠き１１ｂにおける側縁には配線ケーブル部１４が延設されており、回路基板部１１の外方側に折り返された配線ケーブル部１４の端部には、上筐体３に設置されたカメラ部３ｄの機構部品と接続されるコネクタ１４Ｃが実装されている。
【００２２】
さらに、上記回路基板部１１における基端部には、凹字形状を呈する切欠き１１ａの底縁から多層フレキシブル配線ケーブル部１２が延設されており、この多層フレキシブル配線ケーブル部１２は、折り返して反転させることで下筐体２内の回路基板２０へ向けて延在し、その端部には上記回路基板２０と接続されるコネクタ１４Ｃが実装されている。
【００２３】
ここで、上記多層フレキシブル配線ケーブル部１２は、回路基板部１１から接着層(基材)を除いた態様で、かつ上記回路基板部１１と一体に接続して形成されており、図８に示す如く、互いに重ね合わされた同一形態の第１ケーブル層１２Ａと第２ケーブル層１２Ｂとを有している。
【００２４】
また、上記多層フレキシブル配線ケーブル部１２は、図３および図５、図６に示す如く、折り返し部１２ａにおいて反転することで回路基板２０へ向けて延在しているとともに、端部に近い巻回部１２ｂにおいて下筐体２と上筐体３との回動軸を囲むように巻回している。
【００２５】
さらに、上記多層フレキシブル配線ケーブル部１２は、途中のクランク部１２ｃ、１２ｄによって、上筐体３に設置されたカメラ部３ｄの機構部品を回避するべく凸状に折り曲げられている。
【００２６】
ここで、多層フレキシブル配線ケーブル部１２の取り回しを概念的に示した図７、図８から明らかなように、上記多層フレキシブル配線ケーブル部１２の巻回部１２ｂでは、折り返し部１２ａにおいて外側に位置する第２ケーブル層１２Ｂを内周側に位置させる態様で巻回している。
【００２７】
すなわち、多層フレキシブル配線ケーブル部１２の折り返し部１２ａにおいては、第１ケーブル層１２Ａが内周側、第２ケーブル層１２Ｂが外周側を通り、巻回部１２ｂにおいては、第１ケーブル層１２Ａが外周側、第２ケーブル層１２Ｂが内周側を通ることとなる。
【００２８】
言い換えれば、折り返し部１２ａで内側に位置する第１ケーブル層１２Ａは、外側に位置する第２ケーブル層１２Ｂよりも短い経路を通る一方、巻回部１２ｂでは内周側に位置する第２ケーブル層１２Ｂよりも経路長の長い外周側を通る。  また、折り返し部１２ａで外側に位置する第２ケーブル層１２Ｂは、内側に位置する第１ケーブル層１２Ａよりも長い経路を通る一方、巻回部１２ｂでは外周側に位置する第１ケーブル層１２Ａよりも経路長の短い内周側を通る。
【００２９】
かくして、多層フレキシブル配線ケーブル部１２における第１ケーブル層１２Ａの経路長と、第２ケーブル層１２Ｂの経路長との差が相殺されることとなり、上記多層フレキシブル配線ケーブル部１２に弛みや皺が生じることを未然に防止でき、もって多層フレキシブル配線ケーブル部１２の断線等による性能への悪影響を未然に排除することが可能となる。
【００３０】
なお、図３および図５、図６に示した、多層フレキシブル配線ケーブル部１２のクランク部１２ｃとクランク部１２ｄにおいては、第１ケーブル層１２Ａと第２ケーブル層１２Ｂとの経路長の差が、自身のクランク形状に起因して相殺されることは言うまでもない。
【００３１】
また、上述した多層フレキシブル基板１０の形成時、図４に示す如く回路基板部１１の凹部１１ａに多層フレキシブル配線ケーブル部１２が位置し、かつ回路基板部１１の凹部１１ｂに配線ケーブル部１４が位置しており、このように使用時において空間となる部位を有効に利用することで、多層フレキシブル基板１０の製造に伴う材料歩留りが大幅に向上することとなる。
【００３２】
また、使用時において回路基板部１１から図中の下方へ延びる多層フレキシブル配線ケーブル部１２を、形成時において回路基板部１１の凹部１１ａに位置させたことで、形成時における全長の寸法を可及的に抑えることができ、もって多層フレキシブル基板１０の製造に伴う材料歩留りが向上することとなる。
【００３３】
さらに、多層フレキシブル配線ケーブル部１２、配線ケーブル部１３および配線ケーブル部１４の端部に設けられ、使用時において図３および図５における図中の手前側に臨むコネクタ１２Ｃ、１３Ｃ、１４Ｃは、図４に示した形成時においては、回路基板部１１に各種の回路部品が実装される表面(図３〜図５において回路基板部１１に隠れている面)と同じ側の面に実装されるため、いわゆる片面実装によって多層フレキシブル基板１０を製造し得るので、製造工程の簡略化によって生産コストの低減を図ることが可能となる。
【００３４】
図９および図１０は、電子機器の一態様である折畳み式の携帯電話機に本発明を適用した他の実施例を示しており、この携帯電話機１００は、下筐体(他方筐体)１０２と上筐体(一方筐体)１０３とを具備するとともに、これら下筐体１０２と上筐体１０３とは、ヒンジ部１０４を介して互いに開閉し得るよう回動自在に連結されている。
【００３５】
上筐体１０３の内部には、リジッドな回路基板(一方回路基板)１１１が設置されている一方、下筐体１０２の内部には、リジッドな回路基板(他方回路基板)１１２が設置されており、これら回路基板１１１と回路基板１１２とは、多層フレキシブル配線ケーブル１２０を介して互いに電気的に接続されている。
【００３６】
上記多層フレキシブル配線ケーブル１２０は、同一形態の第１ケーブル層１２０Ａと第２ケーブル層１２０Ｂとを互いに重ね合わせて成り、その両端部に設けたコネクタ１２０Ｃａおよびコネクタ１２０Ｃｂを介して、回路基板１１１および回路基板１１２に接続されている。
【００３７】
さらに、上記多層フレキシブル配線ケーブル１２０は、コネクタ１２０Ｃａ側の端部を折り返して反転させることで、下筐体１０２内の回路基板１１２へ向けて延在しており、ヒンジ部１０４の内部には、上記多層フレキシブル配線ケーブル１２０が、下筐体１０２と上筐体１０３との回動軸を囲むように巻回して収容されている。
【００３８】
すなわち、上記多層フレキシブル配線ケーブル１２０は、折り返し部１２０ａにおいて反転することで回路基板１１２へ向けて延在しているとともに、端部に近い巻回部１２０ｂにおいて下筐体１０２と上筐体１０３との回動軸を囲むように巻回している。
【００３９】
ここで、図７および図９から明らかなように、上記多層フレキシブル配線ケーブル１２０の巻回部１２０ｂでは、折り返し部１２０ａにおいて外側に位置する第２ケーブル層１２０Ｂを内周側に位置させる態様で巻回している。
【００４０】
すなわち、多層フレキシブル配線ケーブル１２０の折り返し部１２０ａにおいては、第１ケーブル層１２０Ａが内周側、第２ケーブル層１２０Ｂが外周側を通り、巻回部１２０ｂにおいては、第１ケーブル層１２０Ａが外周側、第２ケーブル層１２０Ｂが内周側を通ることとなる。
【００４１】
言い換えれば、折り返し部１２０ａで内側に位置する第１ケーブル層１２０Ａは、外側に位置する第２ケーブル層１２０Ｂよりも短い経路を通る一方、巻回部１２０ｂでは内周側に位置する第２ケーブル層１２０Ｂよりも経路長の長い外周側を通る。
【００４２】
また、折り返し部１２０ａで外側に位置する第２ケーブル層１２０Ｂは、内側に位置する第１ケーブル層１２０Ａよりも長い経路を通る一方、巻回部１２０ｂでは外周側に位置する第１ケーブル層１２０Ａよりも経路長の短い内周側を通る。
【００４３】
かくして、多層フレキシブル配線ケーブル１２０における第１ケーブル層１２０Ａの経路長と、第２ケーブル層１２０Ｂの経路長との差が相殺されることとなり、上記多層フレキシブル配線ケーブル１２０に弛みや皺が生じることを未然に防止でき、もって多層フレキシブル配線ケーブル１２０の断線等による性能への悪影響を未然に排除することが可能となる。
【００４４】
なお、上述した各実施例では、本発明を折畳み式の携帯電話機に適用した例を示したが、一方筐体と他方筐体とを回動自在に連結した電子機器であれば、実施例における折畳み式の携帯電話機に限定されることなく、様々な電子機器において本発明を有効に適用し得ることは勿論である。
【図面の簡単な説明】
【００４５】
【図１】本発明に関わる電子機器の一実施例を示す折畳み式の携帯電話機を示す外観斜視図。
【図２】図１に示した携帯電話機における内部構造を示す概念図。
【図３】図１に示した携帯電話機に搭載された多層フレキシブル基板を示す外観斜視図。
【図４】図３に示した多層フレキシブル基板の作成時における全体平面図。
【図５】図３に示した多層フレキシブル基板の使用時における全体平面図。
【図６】図５中の VI−VI 線断面図。
【図７】図１に示した携帯電話機における基板の接続態様を示す概念図。
【図８】(ａ)および(ｂ)は、図７における要部を拡大して示す概念図。
【図９】本発明に関わる電子機器の他の実施例である折畳み式の携帯電話機における基板の接続態様を示す概念図。
【図１０】(ａ)および(ｂ)は、図９における要部を拡大して示す概念図。
【図１１】(ａ)および(ｂ)は、従来の電子機器の一例である折畳み式携帯電話機の外観斜視図および内部構造図。
【図１２】(ａ)および(ｂ)は、図１１に示した折畳み式携帯電話機における一方回路基板と他方回路基板との接続態様を示す概念図。
【符号の説明】
【００４６】
１…携帯電話機(電子機器)、
２…下筐体(他方筐体)、
３…上筐体(一方筐体)、
４…ヒンジ部、
１０…多層フレキシブル基板、
１１…回路基板部(一方回路基板)、
１２…多層フレキシブル配線ケーブル部(多層フレキシブル配線ケーブル)、
１２Ａ…第１ケーブル層、
１２Ｂ…第２ケーブル層、
２０…回路基板(他方回路基板)、
１００…携帯電話機(電子機器)、
１０２…下筐体(他方筐体)、
１０３…上筐体(一方筐体)、
１０４…ヒンジ部、
１１１…回路基板(一方回路基板)、
１１２…回路基板(他方回路基板)、
１２０…多層フレキシブル配線ケーブル、
１２０Ａ…第１ケーブル層、
１２０Ｂ…第２ケーブル層。
【図１】
2006339510.tif 000003
【図２】
2006339510.tif 000004
【図３】
2006339510.tif 000005
【図４】
2006339510.tif 000006
【図５】
2006339510.tif 000007
【図６】
2006339510.tif 000008
【図７】
2006339510.tif 000009
【図８】
2006339510.tif 000010
【図９】
2006339510.tif 000011
【図１０】
2006339510.tif 000012
【図１１】
2006339510.tif 000013
【図１２】
2006339510.tif 000014